(57)【要約】　　　（修正有）【課題】直立機構を具えたスイッチングハブの提供。【解決手段】スイッチングハブ１０より延伸された信号連接線３０と、スイッチングハブ底部に嵌止された底座の形成する三角形支持を利用し、スイッチングハブを安定した直立状態となす。該信号連接線のスイッチングハブとの連接部分は硬質支持足とされ、また、底座２０をスイッチングハブの底部と重なり合うようにスイッチングハブに内蔵してスイッチングハブを平らに寝かした状態で使用することもできる。【選択図】　　　図２
0003099040.tif 000002
【実用新案登録請求の範囲】
【請求項１】
　直立機構を具えたスイッチングハブにおいて、該スイッチングハブより導出された信号連接線がスイッチングハブのケースに固定された支持足を貫通し、該支持足が硬質とされて、スイッチングハブに対して支持能力を発生することを特徴とする、直立機構を具えたスイッチングハブ。
【請求項２】
　請求項１記載の直立機構を具えたスイッチングハブにおいて、支持足と支持足内部の信号連接線が一体成形されたことを特徴とする、直立機構を具えたスイッチングハブ。
【請求項３】
　請求項１記載の直立機構を具えたスイッチングハブにおいて、支持足の前端に一周の非円形の凹溝が設けられ、スイッチングハブの左右のケースがネジ止めされる時にこの凹溝に対応する非円形の穿孔を形成し、該穿孔の孔縁が該凹溝に嵌め込まれて支持足が固定されたことを特徴とする、直立機構を具えたスイッチングハブ。
【請求項４】
　請求項１記載の直立機構を具えたスイッチングハブにおいて、スイッチングハブの底部に底座が嵌止され、該底座がスイッチングハブと直交状態を呈し、支持足の底縁が、該底座の両端と三角形の三つの頂点を形成して直立するスイッチングハブに対して安定した支持を提供することを特徴とする、直立機構を具えたスイッチングハブ。
【請求項５】
　請求項４記載の直立機構を具えたスイッチングハブにおいて、底座の上面の前後左右にそれぞれ嵌め溝が設けられ、スイッチングハブの底面に前後二つの突出する係止部が設けられ、この二つの係止部が前後の嵌め溝と嵌合することにより底座がスイッチングハブと直交状に嵌止されることを特徴とする、直立機構を具えたスイッチングハブ。
【請求項６】
　請求項５記載の直立機構を具えたスイッチングハブにおいて、スイッチングハブの底部の二つの係止部が底座の上面の左右の嵌め溝と嵌合することにより底座がスイッチングハブと重なり合う状態で嵌止されることを特徴とする、直立機構を具えたスイッチングハブ。
【考案の詳細な説明】
【技術分野】
【０００１】
　本考案は一種の直立機構を具えたスイッチングハブに係り、特に、スイッチングハブ自身の機構を利用し、スイッチングハブを直立使用できるようにして現場での利用空間に適合するようにしたものに関する。
【背景技術】
【０００２】
　電子情報工業科学技術の発展によりコンピュータネットワークからの各種情報の取得や商品の取引が可能となった。使用者が同一場所でコンピュータで作業、ゲーム、学習或いはネットミーティング等を行なうときには、スイッチングハブで二台以上のコンピュータを切り換え、各情報の操作制御、整理を行なうことにより、作業を順調に行なうことができる。
【０００３】
　スイッチングハブには多くのソケットが設けられ、ゆえにその外形の多くは扁平な長細い設計とされる。スイッチングハブは使用上、いずれも横に寝かした状態とされる。使用場所の空間に制限があってスイッチングハブを直立形態で使用する必要がある場合は、スイッチングハブを直立用のスタンドの上に固定しなければならない。しかし、スイッチングハブの形状が異なれば、それに対応する形状のスタンドを組み合わさなければならず、製造上のコストが高くなり、且つスイッチングハブとスタンドの組立作業が増した。
【考案の開示】
【考案が解決しようとする課題】
【０００４】
　ゆえに、本考案は一種の直立機構を具えたスイッチングハブを提供することを目的とし、それはスイッチングハブ自身の構造体を利用し、スイッチングハブを平らに寝かした方式で使用できるほか、安定した直立状態での使用もできるようにしたものとする。
【０００５】
　本考案はまた、構造が簡単で、低コストで高効率の直立機構を具えたスイッチングハブを提供することを目的としている。
【０００６】
　さらに、本考案は、スイッチングハブより延伸された信号連接線と、スイッチングハブの底部に嵌止された底座により三角形の支持を形成して安定して直立するスイッチングハブを提供することを目的としている。
【０００７】
　また、本考案は、信号連接線とスイッチングハブの連接部分が硬質状とされて支持足の形状を形成した直立機構を具えたスイッチングハブを提供することを目的としている。
【０００８】
　さらに、本考案は、底座をスイッチングハブ下端と重なり合うようにスイッチングハブに内蔵でき、或いは底座をスイッチングハブの下端に垂直に重なり合う状態で嵌め止めでき、スイッチングハブを安定して直立させることもできる、直立機構を具えたスイッチングハブを提供することを目的としている。
【課題を解決するための手段】
【０００９】
　請求項１の考案は、直立機構を具えたスイッチングハブにおいて、該スイッチングハブより導出された信号連接線がスイッチングハブのケースに固定された支持足を貫通し、該支持足が硬質とされて、スイッチングハブに対して支持能力を発生することを特徴とする、直立機構を具えたスイッチングハブとしている。
　請求項２の考案は、請求項１記載の直立機構を具えたスイッチングハブにおいて、支持足と支持足内部の信号連接線が一体成形されたことを特徴とする、直立機構を具えたスイッチングハブとしている。
　請求項３の考案は、請求項１記載の直立機構を具えたスイッチングハブにおいて、支持足の前端に一周の非円形の凹溝が設けられ、スイッチングハブの左右のケースがネジ止めされる時にこの凹溝に対応する非円形の穿孔を形成し、該穿孔の孔縁が該凹溝に嵌め込まれて支持足が固定されたことを特徴とする、直立機構を具えたスイッチングハブとしている。
　請求項４の考案は、請求項１記載の直立機構を具えたスイッチングハブにおいて、スイッチングハブの底部に底座が嵌止され、該底座がスイッチングハブと直交状態を呈し、支持足の底縁が、該底座の両端と三角形の三つの頂点を形成して直立するスイッチングハブに対して安定した支持を提供することを特徴とする、直立機構を具えたスイッチングハブとしている。
　請求項５の考案は、請求項４記載の直立機構を具えたスイッチングハブにおいて、底座の上面の前後左右にそれぞれ嵌め溝が設けられ、スイッチングハブの底面に前後二つの突出する係止部が設けられ、この二つの係止部が前後の嵌め溝と嵌合することにより底座がスイッチングハブと直交状に嵌止されることを特徴とする、直立機構を具えたスイッチングハブとしている。
　請求項６の考案は、請求項５記載の直立機構を具えたスイッチングハブにおいて、スイッチングハブの底部の二つの係止部が底座の上面の左右の嵌め溝と嵌合することにより底座がスイッチングハブと重なり合う状態で嵌止されることを特徴とする、直立機構を具えたスイッチングハブとしている。
【考案の効果】
【００１０】
　本考案は信号連接線が直接導出される方式で設置され、並びに信号連接線の外部に直立に供される支持足が形成され、及び、スイッチングハブ底部に内蔵された底座を露出させてスイッチングハブの直立支持機構を形成することができる。空間上、該スイッチングハブを平らに寝かして使用できる時は、底座をスイッチングハブの底部に内蔵できる。ゆえに本考案は自身の構成部品により直立時の支持機構を組成でき、別にスタンドを組み合わせる必要がなく、機構体を減らし、製造コストを減らすことができる理想的設計である。
【考案を実施するための最良の形態】
【００１１】
　本考案の直立機構を具えたスイッチングハブは、図１、２に示されるように、スイッチングハブ１０の底部に底座２０が嵌止され、該底座２０がスイッチングハブ１０と直交状態をなす。該スイッチングハブ１０より導出された信号連接線３０はスイッチングハブ１０のケースに固定された支持足４０を貫通する。該支持足４０は硬質とされて、スイッチングハブ１０に対して支持能力を発生する。該支持足４０の底縁は底座２０の両端２１と三角形の三つの頂点を形成し、この三点の支持により、直立するスイッチングハブ１０に安定した支持作用を提供する。
【００１２】
　該支持足４０はスイッチングハブ１０の前端面より前方に延伸されている。該底座２０はスイッチングハブ１０の両側面より両側に向けて延伸され、該支持足４０の底縁４１が底座２０の両端２１と二等辺三角形の三つの頂点を形成する。これにより、スイッチングハブ１０の底部の支持底面積を増し、スイッチングハブ１０の重心を支持底面積より超過しにくくし、これにより安定した直立効果を獲得する。
【００１３】
　該支持足４０は硬質の曲がった棒状を呈し、その底縁４１は支持面（例えばデスク面）と接触する支持位置とされる。図３に示されるように、該支持足４０の前端に一周の非円形の凹溝４２が設けられ、該スイッチングハブ１０のケースにこれに対応するように穿孔１１が設けられている。スイッチングハブ１０のケースがネジ止めされる時、該穿孔１１の周縁が該凹溝４２に係合する方式により、支持足４０が固定される。また、スイッチングハブ１０の信号出力用の信号連接線３０は該支持足４０を貫通する。こうして一つのコネクタの使用が減らされる。実際には、該支持足４０とその内部の支持足４０は一体成形されうる。
【００１４】
　上述の底座２０は、スイッチングハブ１０と直交状態を呈するよう嵌合された後、その底面がスイッチングハブ１０の底面と同一平面にあるものとされるのが好ましい。支持足４０の底縁４１も底座２０の底面と同一平面にあるものとされるのが好ましい。これにより、スイッチングハブ１０が更に安定した支持作用を提供する。該底座２０の上面には前後左右の四つの嵌め溝２２、２３、２４、２５が形成され、製作に便利であるように、該四つの嵌め溝２２、２３、２４、２５は連接されて一つの十字型の溝２６とされうる。該スイッチングハブ１０の底面に左右二つの突出する係止部１２、１３が設けられ、これは図４に示されるとおりである。該二つの係止部１２、１３が底座２０の左右の嵌め溝２４、２５に嵌め込まれる時、該底座２０はスイッチングハブ１０と直交状態を以て嵌合され、これは図５に示されるとおりである。該二つの係止部１２、１３が底座２０の前後の嵌め溝２２、２３に嵌め込まれる時、該底座２０はスイッチングハブ１０と重なり合った状態で嵌合され、これは図６に示される状態である。該スイッチングハブ１０の底部には該底座２０を内蔵させられる縦向き溝１４が設けられ、これにより両者を結合させて一体状とすることができる。このとき、スイッチングハブ１０は平らに寝かした状態で使用可能で、これは図７に示されるとおりである。
【００１５】
　該スイッチングハブ１０の底部に別に横向き溝１５が設けられている。該底座２０とスイッチングハブ１０が直交状に嵌合される時、該底座２０の両端２１は横向き溝１５より突出する。
【００１６】
　本考案は信号連接線３０が直接導出される方式で設置され、並びに信号連接線３０の外部に直立に供される支持足４０が形成され、及び、スイッチングハブ１０底部に内蔵された底座２０を露出させてスイッチングハブ１０の直立支持機構を形成することができる。空間上、該スイッチングハブ１０を平らに寝かして使用できる時は、底座２０をスイッチングハブ１０の底部に内蔵でき、これは図７に示されるとおりである。ゆえに本考案は自身の構成部品により直立時の支持機構を組成でき、別にスタンドを組み合わせる必要がなく、機構体を減らし、製造コストを減らすことができる理想的設計である。
【図面の簡単な説明】
【００１７】
【図１】本考案の実施例の斜視図である。
【図２】図１の実施例の分解斜視図である。
【図３】本考案の支持足とスイッチングハブの固定状態の断面図である。
【図４】本考案のスイッチングハブの別方向からの斜視図である。
【図５】本考案のスイッチングハブの係止部と底座の嵌め溝の嵌合状態表示図である。
【図６】本考案の底座がスイッチングハブ底部に内蔵された状態表示図である。
【図７】本考案のスイッチングハブが平らに寝かされた使用状態の外観図である。
【符号の説明】
【００１８】
１０　スイッチングハブ　　　　　１１　穿孔
１２　係止部　　　　　　　　　　１３　係止部
１４　縦向き溝　　　　　　　　　１５　横向き溝
２０　底座　　　　　　　　　　　２１　両端
２２、２３、２４、２５　嵌め溝
３０　信号連接線
４０　支持足　　　　　　　　　　４１　底縁
４２　凹溝
【図１】
0003099040.tif 000003
【図２】
0003099040.tif 000004
【図３】
0003099040.tif 000005
【図４】
0003099040.tif 000006
【図５】
0003099040.tif 000007
【図６】
0003099040.tif 000008
【図７】
0003099040.tif 000009